(57)【要約】【課題】放射線感度に対する校正を行う際には、固定された線量計全体を取り外し照射する必要がある。また、ケースの大きい線量計を照射する場合は１回に照射できる台数が制限されてしまうため時間的作業効率が悪い。本発明は、電子式線量計校正作業等実施時の作業性を向上させる構成を提供する。【解決手段】電子式線量計１００は、制御部１と、電池５と、通信部６と、検出部３と不揮発性記憶部４を具備した検出モジュール２とで構成し、着脱部としてのコネクタ７により前記検出モジュール２を電子式線量計１００に対して着脱することができる。脱した前記検出モジュール２は、電子式線量計１００よりも小型の校正用アダプタ１０１に取り付けて校正する。【選択図】図１
2006017505.tif 000002
【特許請求の範囲】
【請求項１】
放射線を検出する検出モジュールと、前記検出モジュールから出力される信号の計数等を行う制御部とを備えた線量計であって、前記検出モジュールは放射線を検出する検出部と不揮発性記憶部とを有し、前記検出モジュールは前記制御部に対して着脱可能である線量計。
【請求項２】
放射線を検出する検出モジュールと、前記検出モジュールから出力される信号の計数等を行う制御部とを備えた線量計であって、前記検出モジュールは放射線を検出する検出部と前記検出部に関する補正情報を記憶する不揮発性記憶部とを有し、前記検出モジュールは前記制御部に対して着脱可能であり、前記検出モジュール自体が前記検出部の補正情報を有する線量計。
【請求項３】
検出モジュールは、脱した線量計とは異なる線量計に装着して使用可能である請求項１または２記載の線量計。
【請求項４】
検出モジュールを脱し、その後検出モジュールを装着した場合には、放射線検出の確認動作を自動的に行う請求項１から３のいずれか１項に記載の線量計。
【請求項５】
壁面などに取り付け可能な取り付け部と、検出モジュールや制御部を収容し開閉可能なケースとを備え、壁面などに取り付けた状態で前記ケースを開放し、前記検出モジュールを着脱可能とした請求項１から４のいずれか１項に記載の線量計。
【請求項６】
請求項１から５のいずれか１項に記載の線量計から脱した検出モジュールを載置する載置部と、前記載置部に載置された前記検出モジュールに接続され前記検出モジュールから出力される信号の計数等を行う制御部とを備え、外形寸法を前記線量計の外形寸法より小さくした検出モジュール校正用アダプタ。
【発明の詳細な説明】
【技術分野】
【０００１】
本発明は、放射線を測定する電子式線量計に関するものである。
【背景技術】
【０００２】
放射線を測定する電子式線量計は、放射線を検出する検出部や制御部や表示部や操作部を一体化しており、各要素の駆動源となる電池などとともに一つのケースに収納する構成となっている。特に、携帯可能な電子式線量計において、これらの各要素は、落下等などによる衝撃の影響を抑制するため、生産する時点でケースにビスなどによって完全に固定され、各要素の取り外しやケースの開閉が困難な構造とするのが一般的である。また、検出部の放射線に対する感度を調整するための定数は、制御部等と同じ基板に設けられた記憶部に記憶しておくことが一般的である。
【０００３】
また、上記のような線量計の校正に関し、複数個の線量計を校正する装置が知られている（例えば、特許文献１参照）。
【特許文献１】特開２００２−１６９０００号公報
【発明の開示】
【発明が解決しようとする課題】
【０００４】
電子式線量計が放射線管理区域などの環境線量測定用に使用される場合には、壁などに固定されることが多い。このため、定期的に求められる放射線感度に対する校正を行う際には、固定された線量計全体を取り外して放射線線源で照射して校正を行う必要がある。
【０００５】
また、校正用装置に関して言えば、校正用装置の放射線線源から一定の線量を照射できる面積には限りがあり、ケース（外形）の大きい線量計に対して校正のための線量を照射する場合には、１回に照射できる台数が制限されてしまい作業効率が悪い。
【０００６】
また、線量計の検出部が故障した場合等でも、線量計全体を取り外して修理しなければならない。
【０００７】
以上のように、従来の電子式線量計は、校正等を実施する際の作業効率やメンテナンス性に課題がある。
【０００８】
本発明は、上記従来の課題に鑑み、電子式線量計の校正作業等実施時の作業性を向上させることを目的とする。
【課題を解決するための手段】
【０００９】
上記目的を達成するために、本発明の電子式線量計は、放射線を検出する検出モジュールと、前記検出モジュールから出力される信号の計数等を行う制御部とを備えた線量計であって、前記検出モジュールは放射線を検出する検出部と不揮発性記憶部とを有し、前記検出モジュールは前記制御部に対して着脱可能としたものである。
【００１０】
また、本発明の電子式線量計は、放射線を検出する検出モジュールと、前記検出モジュールから出力される信号の計数等を行う制御部とを備えた線量計であって、前記検出モジュールは放射線を検出する検出部と前記検出部に関する補正情報を記憶する不揮発性記憶部とを有し、前記検出モジュールは前記制御部に対して着脱可能であり、前記検出モジュール自体が前記検出部の補正情報を有するものである。
【００１１】
この構成によれば、例えば、電子式線量計を壁などに取り付けて使用する場合に、校正作業等実施時に電子式線量計全体を壁などから取り外す必要がなく、検出モジュールだけを電子式線量計から容易に取り外すことができる。そして、検出モジュール自身の不揮発性記憶部に検出部の補正情報を記憶しているので、他の電子式線量計に取り付けて使用することができる。
【００１２】
また、本発明の校正用アダプタは、線量計から脱した検出モジュールを載置する載置部と、前記載置部に載置された前記検出モジュールに接続され前記検出モジュールから出力される信号の計数等を行う制御部とを備え、外形寸法を前記電子式線量計の外形寸法より小さくしたものである。
【００１３】
この構成によれば、線量計から脱した前記検出モジュールを前記校正用アダプタに載置することにより、前記検出モジュールだけを校正することができる。
【発明の効果】
【００１４】
以上のように本発明によれば、電子式線量計の検出モジュールを電子式線量計から着脱可能な構造にすることにより、壁などに固定される電子式線量計の校正作業や電子式線量計内に設けられた放射線検出部の故障修理などの作業を容易に行うことができる。
【００１５】
また、電子式線量計より小型の校正用アダプタに検出モジュール装着した校正を行うことにより、校正の作業性を向上させることができる。
【発明を実施するための最良の形態】
【００１６】
以下、本発明の一実施の形態について、図１から図５を用いて説明する。
【００１７】
図１は、電子式線量計１００の概略構成を示すブロック図である。
【００１８】
図１において、１は電子式線量計１００の制御を行う制御部であり、この制御部１は、検出した線量などを記憶する記憶部２１と、線量などを表示する表示部２２と、線量の演算等を行うＣＰＵ（Ｃｅｎｔｒａｌ Ｐｒｏｃｅｓｓｉｎｇ Ｕｎｉｔ）部２３と、後述する電池５の制御を行う電源制御部２４と、電源入力などの操作を行うための操作部２６からなる。
【００１９】
また、２は検出モジュールであり、線量を検出する検出部３とこの検出部３に関する補正情報を記憶する不揮発性記憶部４とからなる。５は制御部１に対して電力を供給する電源部としての電池である。
【００２０】
また、６は外部機器と通信を行うための通信部であり、通信部６通信方式としては、無線や光や有線などとすることができる。７は制御部１と検出モジュール２とを着脱するための着脱部としてのコネクタであり、このコネクタ７により、電子式線量計１００の校正時や検出部３の故障修理時などに検出モジュール２を制御部１から脱することができ、また、脱した状態で校正を行った検出モジュール２の校正終了後等に検出モジュール２を制御部１に装着することができる。
【００２１】
以上のように構成された電子式線量計について、その動作を説明する。
【００２２】
まず、電池５は制御部１の電源制御部２４に電源を供給し、この電源制御部２４は電子式線量計１００の各部に電源を供給する。
【００２３】
そして、検出モジュール２の検出部３に放射線が入射すると、検出部３は入射した放射線の量に応じたパルス信号を制御部１のＣＰＵ部２３に出力する。また、不揮発性記憶部４に記憶されている補正情報もＣＰＵ部２３に送信する。
【００２４】
なお、補正情報とは、例えば、ある検出部３を内蔵する電子式線量計１００に１ｍＳｖ（ミリシーベルト）の線量を照射し、この時この検出部３が出力信号として９８発のパルスを出力するものである場合、ＣＰＵ部２３が検出部３からの出力パルスを９８発カウントするとそれが１ｍＳｖであるということを意味する情報であり、また、他の検出部３を内蔵する電子式線量計１００に１ｍＳｖ（ミリシーベルト）の線量を照射し、この時この検出部３が出力信号として１００発のパルスを出力するものである場合、ＣＰＵ部２３が検出部３からの出力パルスを１００発カウントするとそれが１ｍＳｖであるということを意味する情報であり、各々の検出部３に固有の情報である。
【００２５】
制御部１のＣＰＵ部２３では、検出モジュール２から出力されたパルス信号と補正情報とに基づいてパスル信号を線量値に換算する。ここで、この換算について、不揮発性記憶部４に記憶されている補正情報が、ＣＰＵ部２３が検出部３からの出力パルスを１００発カウントするとそれが１ｍＳｖであるということを意味する情報である場合について説明する。制御部１に検出モジュール２が接続されると、検出モジュール２の不揮発性記憶部４に記憶されている補正情報が制御部１に送信され、記憶部２１に記憶される。そして、電子式線量計１００の検出部３に放射線が入射すると、検出部３は放射線の入射量に応じてパルス信号を出力し、このパルス信号はＣＰＵ部２３に送信される。パルス信号を受信したＣＰＵ部２３はこのパルス数をカウントし、例えば、このカウント値が１００である場合、このカウント値と記憶部２１に記憶した前記補正情報とに基づいて、パスル信号を線量値１ｍＳｖに換算し、また別の例として、パルス数のカウント値が１５０である場合には１．５ｍＳｖと換算する。
【００２６】
換算された線量値は表示部２２に表示され、記憶部２１に記憶される。また、この線量値は通信部６を介して外部の機器に送信することも可能である。
【００２７】
次に、図２を用いて、電子式線量計１００が放射線管理区域などの環境線量測定用に使用される場合の一例として、壁などに固定可能とした電子式線量計１００について説明する。
【００２８】
図２は、電子式線量計１００の外観を示す構造図である。図２において、１は制御部、２は検出モジュール、５は電池、６は通信部、７はコネクタであり、図１を用いて説明したもの同じである。また、８はこれらを収容可能なケースであり、開閉可能な構造となっている。また、９はケース８に取り付けられており、電子線量計１００を壁などに取り付けるための取り付け部である。なお、電子式線量計１００は、制御部１と検出モジュール２と電池５と通信部６とコネクタ７とケース８とから構成される。
【００２９】
この電子式線量計１００を放射線管理区域などの環境線量測定用として壁などに固定する場合には、取り付け部９に設けられている穴を用いてビスやアンカーボルトなどにより固定する。
【００３０】
しかし、電子式線量計１００を壁などに固定すると、電子式線量計１００の校正などを行うことが困難となる。そこで、図１および図２を用いて説明した本実施の形態の電子式線量計１００ように、制御部１と検出モジュール２をコネクタ７で接続して検出モジュール２を制御部１に対して着脱可能とし、これらを開閉可能なケース８に収容する構成とすることで、電子式線量計１００が壁等に固定されいても、ケース８を開放して校正を行う必要がある検出部３と不揮発性記憶部４とからなる検出モジュール２を容易に取り外すことができる。
【００３１】
次に、電子式線量計１００から脱した検出モジュール２の校正を行う例について説明する。
【００３２】
図３は、電子式線量計１００から脱した検出モジュール２を校正用アダプタ１０１に装着した状態を示すブロック図である。
【００３３】
なお、校正用アダプタ１０１は、例えば電子式線量計１００の構成要素のうち校正に必要な構成のみを有した簡易な構造をしており、上記した電子式線量計１００のように取り付け部９などの校正に必ずしも必要ない構成要素を有していないので、校正用アダプタ１０１の外形は、取り付け部９を有する電子式線量計１００の外形よりも小型となっている。
【００３４】
図３において、校正用アダプタ１０１は、制御部１１と、電池２５と、制御部１１と電子式線量計１００から脱した検出モジュール２とを接続するためのコネクタ２７からなる。なお、このコネクタ２７は電子式線量計１００に設けられているコネクタ７と同一構造のものが利用されている。また、制御部１１は、検出した線量などを記憶する記憶部３１と、線量などを表示する表示部３２と、線量の演算等を行うＣＰＵ部３３と、電池２５の制御を行う電源制御部３４と、後述する操作部３５とからなる。
【００３５】
以上のように構成された校正用アダプタ１０１について、その動作を説明する。
【００３６】
まず、電子式線量計１００から脱した検出モジュール２をコネクタ２７により制御部１１に接続することで、検出モジュール２を校正用アダプタ１０１に装着する。電池２５は、制御部１１の電源制御部３４に電源を供給し、この電源制御部３４は校正用アダプタ１０１の各部および装着した検出モジュール２に対して電源を供給する。
【００３７】
検出モジュール２を装着した校正用アダプタ１０１に対して図示しない校正用線源から所定の放射線を照射し、検出モジュール２の検出部３に放射線が入射すると、検出モジュール２は入射した放射線の量に応じたパルス信号を制御部１１のＣＰＵ部３３に送信し、また、不揮発性記憶部４に記憶されている検出部３に関する補正情報もＣＰＵ部３３に送信される。
【００３８】
制御部１１のＣＰＵ部３３は、検出モジュール２から受信したパルス信号と補正情報とに基づいてパルス信号を線量値に換算する。そして、この換算された線量値は表示部３２に表示され、記憶部３１に記憶される。なお、必要に応じて、校正用アダプタ１０１に外部機器と通信を行うための通信部（図示せず）を組み込み、外部と通信する構成としてもよい。
【００３９】
ここで、検出モジュール２を装着した校正用アダプタ１０１に対して所定の線量を照射した場合の表示部３２に表示された線量値が所定の値と異なっていた場合には、所定の値となるように操作部３５から新たな補正情報を入力し、ＣＰＵ３３を介して検出モジュール２の不揮発性記憶部４に記憶する補正情報を変更することができる。
【００４０】
以上のように、検出モジュール２は検出部３と不揮発性記憶部４を有し、この不揮発性記憶部４に検出部３に関する補正情報などを記憶できるようにすることで、検出モジュール２を電子式線量計１００から脱して校正用アダプタ１０１に装着して校正を行うことが可能となり、また、校正用アダプタ１０１で校正を行った場合の補正情報の変更なども可能となる。
【００４１】
また、図４に校正用アダプタ１０１の概略構造図を示す。図４において、２は電子式線量計１００から脱して校正用アダプタ１０１に装着した検出モジュール、１１は制御部、２５は電池、１３は検出モジュール２を載置するための載置部、２７は検出モジュール２と制御部１１を接続するためのコネクタ、１４はこれらを収容するケースである。なお、校正用アダプタ１０１は校正に必要な機能のみを有し、上記した電子式線量計１００のように取り付け部９を有していないので、校正用アダプタ１０１の外形となるケース１４は、取り付け部９を有する電子式線量計１００の外形よりも小型となっている。
【００４２】
次に、図５を用いて、電子線量計１００および電子式線量計１００から脱した検出モジュール２を装着した校正用アダプタ１０１の校正方法について説明する。図５（ａ）は電子線量計１００の校正の例を示す概略図であり、図５（ｂ）は校正用アダプタ１０１を用いた校正の例を示す概略図である。
【００４３】
図５において、１５は図示しない校正用線源から照射される放射線の照射範囲を示す照射野、１６は図示しない校正用線源から照射される放射線の照射方向、１００は電子式線量計、１０１は校正用アダプタである。  図５に示す照射方法は、電子式線量計１００あるいは校正用アダプタ１０１の下側に設置した図示しない放射線の線源から電子式線量計１００あるいは校正用アダプタ１０１に向けて放射線を照射する例を示している。また、電子式線量計１００および校正用アダプタ１０１による校正には同一の線源を用いる例を示しているので、照射野１５は同じ大きさである。
【００４４】
なお、図４を用いて説明したように、校正用アダプタ１０１の外形寸法（照射方向から見た場合の投影面積）を電子式線量計１００の外形寸法（照射方向から見た場合の投影面積）より小さくしている。従って、図５に示すように、同じ大きさの照射野１５内に配置できる台数は校正用アダプタ１０１の方が多くなる。このように、外形寸法が電子式線量計１００より小さく、電子線量計１００から脱した検出モジュール２を装着して校正を行う校正用アダプタ１０１を用いて校正を行うことで、校正作業を行う時の作業効率を向上させることができる。
【００４５】
以上のように、本実施の形態によれば、電子式線量計１００の検出モジュール２を電子式線量計１００から着脱可能な構造とすることにより、校正作業や検出部３の故障修理のために壁などに固定された電子式線量計１００全体を取り外す必要が無くなる。
【００４６】
また、電子式線量計１００より小型の校正用アダプタ１０１を用いて校正を行うことにより、校正実施時に多くの検出モジュール２を照射することができるので、校正の作業性を向上させることができる。
【００４７】
なお、本実施の形態の電子式線量計１００においては検出モジュール２が着脱可能であり、この検出モジュール２は検出部３とこの検出部３に関する補正情報を記憶する不揮発性記憶部４とからなっており、検出部３と不揮発性記憶部４とが一体でかつ検出部３の補正情報を有しているので、検出モジュール２を他の電子式線量計１００に装着しても使用することが可能である。
【００４８】
また、本実施の形態の電子式線量計１００は、検出モジュール２の装着を検知する図示しない検知部を有し、また、記憶部２１には検出部３の放射線検出の確認動作を行うプログラムが格納されており、ＣＰＵ部２３は前記検知部から検出モジュール２が装着されていることを示す信号を受信すると自動的に記憶部２１から前記プログラムを呼び出して放射線検出の確認動作を行う。なお、この確認動作とは、例えば、ＣＰＵ部２３から検出部３に対してパルス信号を送信し、この信号に対する応答が検出部３からＣＰＵ部２３に返信されることで行われる。このようにすることで、ある電子式線量計１００から検出モジュール２を取り外し、再度この電子式線量計１００にこの検出モジュール２を装着した場合や、ある電子式線量計１００から検出モジュール２を取り外し、他の電子式線量計１００にこの検出モジュール２を装着した場合には、自動的に放射線検出の確認動作が実行される。なお、動作確認が正常に行われたか否かを表示部２２に表示するようにしてもよい。
【００４９】
なお、上記では、検知部からの信号に基づいてＣＰＵ部２３による放射線検出の確認動作を行う例について示したが、検出部を設けず、ＣＰＵ部２３から検出部３に対して定期的にパルス信号を送信して確認動作を行うようにしてもよいし、電子式線量計１００の電源がＯＮされたときにＣＰＵ部２３が上記のように自動的に検出部３対してパルス信号を送信して放射線検出の確認動作を行うようにしてもよい。
【００５０】
なお、本実施の形態において、電子式線量計１００の電源として電池５を用い、また、校正用アダプタ１０１の電源として電池２５を用いたが、電池５や電池２５ではなく商用電源を直流に変換する電源装置を用いて商用電源を電源として使用する構成としてもよい。
【産業上の利用可能性】
【００５１】
本発明の電子式線量計は、放射線を検出する検出部とこの検出部の補正に関する情報等を記憶した不揮発性記憶部とを有した検出モジュールを、電子式線量計から着脱することができるので、壁などに設置して使用される線量計として有用である。
【図面の簡単な説明】
【００５２】
【図１】本発明の実施の形態における電子式線量計の概略構成を示すブロック図
【図２】本発明の実施の形態における電子式線量計の概略構造を示す図
【図３】本発明の実施の形態における校正用アダプタの概略構成を示すブロック図
【図４】本発明の実施の形態における校正用アダプタの概略構造を示す図
【図５】（ａ）本発明の実施の形態における電子式線量計の校正状態を示す図（ｂ）本発明の実施の形態における校正用アダプタを用いた校正状態を示す図
【符号の説明】
【００５３】
１  制御部
２  検出モジュール
３  検出部
４  不揮発性記憶部
５  電池
６  通信部
７  コネクタ
８  ケース
９  取り付け部
１１  制御部
１３  載置部
１４  ケース
１５  照射野
１６  照射方向
２１  記憶部
２２  表示部
２３  ＣＰＵ部
２４  電源制御部
２５  電池
２６  操作部
２７  コネクタ
３１  記憶部
３２  表示部
３３  ＣＰＵ部
３４  電源制御部
３５  操作部
１００  電子式線量計
１０１  校正用アダプタ
【図１】
2006017505.tif 000003
【図２】
2006017505.tif 000004
【図３】
2006017505.tif 000005
【図４】
2006017505.tif 000006
【図５】
2006017505.tif 000007